(57)【特許請求の範囲】
【請求項１】
カード番号、有効期限を保持するＩＣカードを用いた取引の決済接続先である決済先装置との間で、前記ＩＣカードを用いて取引の決済に関する接続を行い、前記決済先装置による前記ＩＣカードの認証により、前記決済先装置との間で前記取引の決済を行うシンクライアントの取引処理装置と、
前記取引処理装置に接続可能で、前記ＩＣカードのブランド情報、前記カード番号、前記有効期限、取引金額、支払方法、支払回数が入力される、可搬型の取引通信端末と、を備え、
前記取引通信端末は、入力された前記ＩＣカードのブランド情報、前記カード番号、前記有効期限、取引金額、支払方法、支払回数を含む取引決済情報を前記取引処理装置に送信し、
前記取引処理装置は、前記取引通信端末から送信された前記取引決済情報を受信し、受信された前記取引決済情報を含む決済要求を前記決済先装置に送信し、
前記取引処理装置は、前記取引決済情報を含む決済要求を前記決済先装置に送信した場合に、顧客控及び店舗控を印字する、
取引処理システム。
【請求項２】
請求項１に記載の取引処理システムであって、
前記取引処理装置は、前記顧客控及び店舗控の印字完了報告を前記取引通信端末に送信し、
前記取引通信端末は、前記印字完了報告を受信した後、前記ＩＣカードのブランド情報、カード番号、有効期限、取引金額、支払方法、支払回数を削除する、
取引処理システム。
【請求項３】
請求項１に記載の取引処理システムであって、
前記取引処理装置は、記憶部を有し、前記取引処理装置と前記決済先装置との間の直接の通信が不可状態の場合に、前記取引決済情報を前記記憶部に蓄積し、前記ＩＣカードとの間で前記取引決済情報を用いた条件付き決済を行った後、前記顧客控及び店舗控を印字する、
取引処理システム。
【請求項４】
請求項３に記載の取引処理システムであって、
前記取引処理装置は、前記取引処理装置と前記決済先装置との間の直接の通信が可能状態になった場合に、前記記憶部に蓄積した前記取引決済情報を用いた条件付き決済の売上登録を、前記決済先装置に要求する、
取引処理システム。
【請求項５】
シンクライアントの取引処理装置と可搬型の取引通信端末とが接続された取引処理システムにおける取引処理方法であって、
前記取引処理装置は、カード番号、有効期限を保持するＩＣカードを用いた取引の決済接続先である決済先装置との間で、前記決済先装置による前記ＩＣカードの認証により、前記決済先装置との間で前記取引の決済を行い、
前記取引通信端末は、取引の決済に用いられるＩＣカードのブランド情報、前記カード番号、前記有効期限、取引金額、支払方法、支払回数を含む取引決済情報が入力され、
前記取引通信端末は、入力された前記取引決済情報を前記取引処理装置に送信し、
前記取引処理装置は、前記取引通信端末から送信された前記取引決済情報を受信し、受信された前記取引決済情報を含む決済要求を前記決済先装置に送信し、
前記取引処理装置は、前記取引決済情報を含む決済要求を前記決済先装置に送信した場合に、顧客控及び店舗控を印字する、
取引処理方法。
【請求項６】
カード番号、有効期限を保持するＩＣカードを用いた取引の決済接続先である決済先装置との間で、前記ＩＣカードを用いて取引の決済に関する接続を行い、前記決済先装置による前記ＩＣカードの認証により、前記決済先装置との間で前記取引の決済を行う第１通信部と、
可搬型の取引通信端末との間で通信を行う第２通信部と、
前記取引通信端末により入力された前記カードのブランド情報、前記カード番号、前記有効期限、取引金額、支払方法、支払回数を含む取引決済情報を取得する取得部と、
顧客控及び店舗控を印字する印字部と、を備え、
前記第１通信部は、前記取得部により取得された前記取引決済情報を含む決済要求を前記決済先装置に送信し、
前記印字部は、前記取引決済情報を含む決済要求が前記決済先装置に送信された場合に、前記顧客控及び店舗控を印字する、
取引処理装置。
【請求項７】
カード番号、有効期限を保持するＩＣカードを用いた取引の決済接続先である決済先装置との間で、前記ＩＣカードを用いて取引の決済に関する接続を行い、前記決済先装置による前記ＩＣカードの認証により、前記決済先装置との間で前記取引の決済を行う取引処理装置との間で、通信を行う第３通信部と、
前記ＩＣカードのブランド情報、前記カード番号、前記有効期限、取引金額、支払方法、支払回数を含む取引決済情報が入力される入力部と、を備え、
前記第３通信部は、前記入力部により入力された前記取引決済情報を前記取引処理装置に送信し、前記取引処理装置から前記取引決済情報を含む決済要求が前記決済先装置に送信された場合に、前記取引処理装置により印字された顧客控及び店舗控の印字完了報告を受信する、
取引通信端末。
【請求項８】
コンピュータである取引処理装置に、
カード番号、有効期限を保持するＩＣカードを用いた取引の決済接続先である決済先装置による前記ＩＣカードの認証により、前記決済先装置との間で前記取引の決済を行うステップと、
前記取引の決済に用いられる前記ＩＣカードのブランド情報、前記カード番号、前記有効期限、取引金額、支払方法、支払回数を含む取引決済情報を、前記取引処理装置と通信可能な可搬型の取引通信端末から取得するステップと、
前記取引決済情報を含む決済要求を、前記決済先装置に送信するステップと、
前記取引決済情報を含む決済要求が前記決済先装置に送信された場合に、顧客控及び店舗控を印字するステップと、を実現させるための、
プログラム。
【請求項９】
コンピュータである可搬型の取引通信端末に、
取引の決済に用いられるＩＣカードのブランド情報、カード番号、有効期限、取引金額、支払方法、支払回数を含む取引決済情報が入力されるステップと、
入力された前記取引決済情報を、前記ＩＣカードを用いた取引の決済接続先である決済先装置との間で前記ＩＣカードを用いて取引の決済に関する接続を行い、前記決済先装置による前記ＩＣカードの認証により、前記決済先装置との間で前記取引の決済を行う取引処理装置に送信するステップと、
前記取引処理装置から前記取引決済情報を含む決済要求が前記決済先装置に送信された場合に、前記取引処理装置により印字された顧客控及び店舗控の印字完了報告を受信するステップと、を実現させるための、
プログラム。
【発明の詳細な説明】
【技術分野】
【０００１】
本発明は、取引における決済処理の手続を行うために使用される取引処理システム、取引処理方法、取引処理装置、取引通信端末及びプログラムに関する。
【背景技術】
【０００２】
例えば物品の販売においてカード（例えばクレジットカード）を用いた決済処理が行われる際、従来の取引処理装置（例えば決済端末装置）は、カードの所有者に対する与信照会がなされて特に問題ない旨の応答が得られた場合に、決済に関する所定の決済先装置（例えば決済センタが運営する決済センタ装置、又は決済中継センタが運営する決済中継センタ装置）に売上情報を送信する（売上登録）。取引処理装置と決済先装置との間の回線が利用不可となっている状態で、１回の売上金額が所定金額未満である場合には、取引処理装置内のＲＡＭ（Random Access Memory）に顧客情報と売上情報とが取引情報として記憶されて蓄積される。このような取引情報の蓄積は、「タンキング」と呼ばれる。タンキングされた売上件数毎の取引情報の数が一定値に達し回線が復旧した後、取引処理装置は、タンキングされた取引情報を一括で決済先装置に送信する。このようなタンキングに関する先行技術として、例えば特許文献１に示す取引処理装置が提案されている。
【先行技術文献】
【特許文献】
【０００３】
【特許文献１】特開平２−７５０９７号公報
【発明の概要】
【発明が解決しようとする課題】
【０００４】
上述した特許文献１を含む従来技術では、店舗の混雑時（例えば週末などに購入客が一時的に増加した場合や、店舗が何かしらのキャンペーン又はタイムセールサービスを催しており購入客が急に増加した場合）には、店舗に予め配備された取引処理装置では、決済処理を十分に対応しきれないという課題がある。この課題が解決されないと、店舗内に長蛇の購入者の列ができてしまい、長時間購入客を待たせることになってしまい、購入者に対する利便性が低下してしまう。
【０００５】
本発明は、上述した課題を解決するために、店舗に配備されている取引処理装置の数では来店客（顧客）のカード決済の処理に十分に対応しきれない場合でも、取引処理装置と決済センタ装置との間の通信に外部装置を用いることで、ＩＣクレジットカードを用いた決済を円滑に行え、顧客のカード決済の待ち時間の長期化を回避できる取引処理システム、取引処理方法、取引処理装置、取引通信端末及びプログラムを提供することを目的とする。
【課題を解決するための手段】
【０００６】
本発明は、カード番号、有効期限を保持するＩＣカードを用いた取引の決済接続先である決済先装置との間で、前記ＩＣカードを用いて取引の決済に関する接続を行い、前記決済先装置による前記ＩＣカードの認証により、前記決済先装置との間で前記取引の決済を行うシンクライアントの取引処理装置と、前記取引処理装置に接続可能で、前記ＩＣカードのブランド情報、前記カード番号、前記有効期限、取引金額、支払方法、支払回数が入力される、可搬型の取引通信端末と、を備え、前記取引通信端末は、入力された前記ＩＣカードのブランド情報、前記カード番号、前記有効期限、取引金額、支払方法、支払回数を含む取引決済情報を前記取引処理装置に送信し、前記取引処理装置は、前記取引通信端末から送信された前記取引決済情報を受信し、受信された前記取引決済情報を含む決済要求を前記決済先装置に送信し、前記取引処理装置は、前記取引決済情報を含む決済要求を前記決済先装置に送信した場合に、顧客控及び店舗控を印字する、取引処理システムである。
【０００７】
また、本発明は、シンクライアントの取引処理装置と可搬型の取引通信端末とが接続された取引処理システムにおける取引処理方法であって、前記取引処理装置は、カード番号、有効期限を保持するＩＣカードを用いた取引の決済接続先である決済先装置との間で、前記決済先装置による前記ＩＣカードの認証により、前記決済先装置との間で前記取引の決済を行い、前記取引通信端末は、取引の決済に用いられるＩＣカードのブランド情報、前記カード番号、前記有効期限、取引金額、支払方法、支払回数を含む取引決済情報が入力され、前記取引通信端末は、入力された前記取引決済情報を前記取引処理装置に送信し、前記取引処理装置は、前記取引通信端末から送信された前記取引決済情報を受信し、受信された前記取引決済情報を含む決済要求を前記決済先装置に送信し、前記取引処理装置は、前記取引決済情報を含む決済要求を前記決済先装置に送信した場合に、顧客控及び店舗控を印字する、取引処理方法である。
【０００８】
また、本発明は、カード番号、有効期限を保持するＩＣカードを用いた取引の決済接続先である決済先装置との間で、前記ＩＣカードを用いて取引の決済に関する接続を行い、前記決済先装置による前記ＩＣカードの認証により、前記決済先装置との間で前記取引の決済を行う第１通信部と、可搬型の取引通信端末との間で通信を行う第２通信部と、前記取引通信端末により入力された前記カードのブランド情報、前記カード番号、前記有効期限、取引金額、支払方法、支払回数を含む取引決済情報を取得する取得部と、顧客控及び店舗控を印字する印字部と、を備え、前記第１通信部は、前記取得部により取得された前記取引決済情報を含む決済要求を前記決済先装置に送信し、前記印字部は、前記取引決済情報を含む決済要求が前記決済先装置に送信された場合に、前記顧客控及び店舗控を印字する、取引処理装置である。
【０００９】
また、本発明は、カード番号、有効期限を保持するＩＣカードを用いた取引の決済接続先である決済先装置との間で、前記ＩＣカードを用いて取引の決済に関する接続を行い、前記決済先装置による前記ＩＣカードの認証により、前記決済先装置との間で前記取引の決済を行う取引処理装置との間で、通信を行う第３通信部と、前記ＩＣカードのブランド情報、前記カード番号、前記有効期限、取引金額、支払方法、支払回数を含む取引決済情報が入力される入力部と、を備え、前記第３通信部は、前記入力部により入力された前記取引決済情報を前記取引処理装置に送信し、前記取引処理装置から前記取引決済情報を含む決済要求が前記決済先装置に送信された場合に、前記取引処理装置により印字された顧客控及び店舗控の印字完了報告を受信する、取引通信端末である。
【００１０】
また、本発明は、コンピュータである取引処理装置に、カード番号、有効期限を保持するＩＣカードを用いた取引の決済接続先である決済先装置による前記ＩＣカードの認証により、前記決済先装置との間で前記取引の決済を行うステップと、前記取引の決済に用いられる前記ＩＣカードのブランド情報、前記カード番号、前記有効期限、取引金額、支払方法、支払回数を含む取引決済情報を、前記取引処理装置と通信可能な可搬型の取引通信端末から取得するステップと、前記取引決済情報を含む決済要求を、前記決済先装置に送信するステップと、前記取引決済情報を含む決済要求が前記決済先装置に送信された場合に、顧客控及び店舗控を印字するステップと、を実現させるための、プログラムである。
【００１１】
更に、本発明は、コンピュータである可搬型の取引通信端末に、取引の決済に用いられるＩＣカードのブランド情報、カード番号、有効期限、取引金額、支払方法、支払回数を含む取引決済情報が入力されるステップと、入力された前記取引決済情報を、前記ＩＣカードを用いた取引の決済接続先である決済先装置との間で前記ＩＣカードを用いて取引の決済に関する接続を行い、前記決済先装置による前記ＩＣカードの認証により、前記決済先装置との間で前記取引の決済を行う取引処理装置に送信するステップと、前記取引処理装置から前記取引決済情報を含む決済要求が前記決済先装置に送信された場合に、前記取引処理装置により印字された顧客控及び店舗控の印字完了報告を受信するステップと、を実現させるための、プログラムである。
【発明の効果】
【００１２】
本発明によれば、店舗に配備されている取引処理装置の数では来店客（顧客）のカード決済の処理に十分に対応しきれない場合でも、取引処理装置と決済センタ装置との間の通信に外部装置を用いることで、ＩＣクレジットカードを用いた決済を円滑に行え、顧客のカード決済の待ち時間の長期化を回避できる。
【図面の簡単な説明】
【００１３】
【図１】第１の実施形態の取引処理システムのシステム構成の一例を示す図
【図２】各実施形態の取引処理装置（親機）のハードウェア構成の一例を示す図
【図３】第１の実施形態の外部装置（子機）のハードウェア構成の一例を示す図
【図４】各実施形態の取引処理装置及び外部装置のソフトウェアのブロック構成の一例を示す図
【図５】オフライン状態の取引処理装置、外部装置及び決済センタ装置の接続経路の一例を示す図
【図６】第１の実施形態のオフライン状態の取引処理装置及び外部装置の処理フローの第１例を説明する動作説明図
【図７】第１の実施形態のオフライン状態の取引処理装置及び外部装置の処理フローの第２例を説明する動作説明図
【図８】第１の実施形態のオフライン状態の取引処理装置及び外部装置の処理フローの第３例を説明する動作説明図
【図９】外部装置と決済中継センタ装置との間の通信の動作手順の一例を説明するフローチャート
【図１０】（Ａ）〜（Ｈ）外部装置に表示される各種画面の一例を示す図
【図１１】第２の実施形態の取引処理システムのシステム構成の一例を示す図
【図１２】第２の実施形態の外部装置のハードウェア構成の一例を示す図
【図１３】オフライン状態の取引処理装置、外部装置及び決済センタ装置の接続経路の一例を示す図
【図１４】第２の実施形態の通常オンライン状態の取引処理装置及び外部装置の処理フローの一例を説明する動作説明図
【図１５】第２の実施形態のオフライン状態の取引処理装置及び外部装置の処理フローの一例を説明する動作説明図
【図１６】通常オンライン状態に復旧した場合における第２の実施形態の取引処理装置の処理フローの一例を示す動作説明図
【図１７】（Ａ），（Ｂ）通常オンライン状態に復旧した場合における取引処理装置に表示される各種画面の一例を示す図
【発明を実施するための形態】
【００１４】
（第１の実施形態に至る経緯）
特許文献１を含む従来の取引処理装置では、決済先装置との間の回線が断となっている場合には、オンラインによる決済サービス（以下「オンライン決済」）を遂行できない。回線の断に限らず、取引処理装置が設置される店舗の回線が断線や短絡など故障している場合や、回線の網がダウンしている場合、決済先装置自体がダウンしている場合（つまり使用停止状態である場合）にも、同様にオンライン決済を遂行できないという課題がある。但し、オンライン決済を遂行できない場合でも、従来の取引処理装置は、オフラインによる決済サービス（以下「オフライン決済」）を遂行できる。即ち、従来の取引処理装置は、売上金額が店舗とアクワイヤラ（若しくはサードパーティ決済プロセッサ又はイシュア）との間の加盟店契約に基づいて予め定められた取引金額の上限を超えない範囲であれば、決済先装置との通信を行うことなくオフライン決済を遂行できる。
【００１５】
ところで、ＩＣクレジットカード機能を用いた決済を行うために、従来の取引処理装置は、例えば取引処理装置又はその付属装置が備えるＰＩＮＰＡＤを用いて顧客により入力されるＰＩＮ（Personal Identification Number）と、取引処理装置又はその付属装置が備える読取装置が読み取るカード情報との照合を行っている。ＰＩＮの照合は取引処理装置の中で行われ、照合が一致（認証）した場合に、そのＩＣクレジットカード機能を用いた決済が可能となる。
【００１６】
これに対し、決済処理に使用されるカードの認証に必要な情報が取引処理装置を介してカードと決済先装置との間で送受信される新たな決済方式（例えば金融取引ＩＣカードの国際的統一規格であるＥＭＶ仕様のＥＭＶレベル２のＩＣクレジットカード機能を用いた決済方式）では、店舗に設置された取引処理装置は、決済センタ装置との間の回線が断となっている場合、回線の網がダウンしている場合（つまり、オフライン状態）では、オンライン決済だけでなく、ＩＣクレジットカード機能を用いたオフライン決済もできないという課題がある。なお、ＩＣクレジットカード機能を用いたオフライン決済とは、取引処理装置とＩＣクレジットカードとの間だけで決済し、決済センタ装置を使用しない決済である。
【００１７】
言い換えると、上述した新たな決済方式では、取引処理装置はＩＣクレジットカードに内蔵されたチップ内のメモリにアクセスできるがそのメモリに格納された各種情報（例えばカード番号、有効期限）は暗号化されており、決済先装置で初めて復号可能となり、取引処理装置では復号できない。このため、ＩＣクレジットカードの認証は、取引処理装置ではなく、決済先装置で行われる。この新たな決済方式では、取引処理装置は、取引処理装置又はその付属装置が備える読取装置が読み取る暗号化されたカード情報と、その取引処理装置又はその付属装置が備えるＰＩＮＰＡＤを用いて顧客により入力されたＰＩＮとを決済先装置に送信する。ＩＣクレジットカードの認証（例えばＰＩＮの照合）は、取引端末装置ではなく、決済先装置で行われる。従って、オフライン状態でＩＣクレジットカード機能を用いた決済を行うためには、操作者は、ＩＣクレジットカードに併せて設けられている磁気ストライプに記録された情報を用いた磁気クレジットカード機能によるオフライン決済を行う必要がある。
【００１８】
ＩＣクレジットカードは磁気ストライプを併せて備えているため、ＩＣクレジットカードにおける磁気クレジットカード機能を用いた決済を行うことが可能である。しかし、磁気ストライプに記録されている各種情報は暗号化されておらず、ＩＣクレジットカード機能を用いた決済に比べてセキュリティが劣化する。更に、磁気クレジットカード機能を用いた決済では、店舗とアクワイヤラ（若しくはサードパーティ決済プロセッサ又はイシュア）との間の加盟店契約に基づいて予め定められた取引金額の上限の制約があるため、店舗も上限を超えて商品の販売を行えないし、アクワイヤラ又はイシュアも店舗の手数料率の増加の期待が困難である。
【００１９】
そこで、以下の第１の実施形態では、決済処理に使用されるカードの認証に必要な情報がカードと決済先装置との間で送受信される決済方式において、決済先装置との回線が利用不可な時や故障発生時を含むオフライン状態でも、認証情報に対するセキュリティの劣化を抑制し、カードを用いた決済を円滑に行う取引処理システム、取引処理方法、取引処理装置、取引通信端末及びプログラムの例について説明する。
【００２０】
以下、本発明に係る取引処理システム、取引処理方法、取引処理装置、取引通信端末及びプログラムを具体的に開示した各実施形態について、図面を参照して説明する。以下の各実施形態では、本発明に係る取引処理装置（以下、「親機」ともいう）を、カード（例えばＩＣクレジットカード）を用いた取引（例えば商品の購入又は役務の提供）の決済処理を行う機能を有し、店舗（アクワイヤラやイシュア（カード発行会社）との間でカード決済を取り扱う加盟店契約を締結している店舗のことで、「加盟店」とも言われる）に設置される決済端末装置として説明する。また、本発明に係る取引通信端末（以下、「子機」ともいう）を、汎用のアプリケーションを実行可能であり、更に、取引処理装置と決済中継センタ装置又は決済センタ装置との間がオフライン状態（後述参照）である場合に、取引処理装置の決済処理を行う機能を代替的に有する通信端末として説明する。
【００２１】
（第１の実施形態）
第１の実施形態では、決済処理に使用されるカードの認証に必要な情報が取引処理装置を介してカードと決済中継センタ装置との間で送受信される新たな決済方式（例えば金融取引ＩＣカードの国際的統一規格であるＥＭＶ仕様のＥＭＶレベル２のＩＣクレジットカード機能を決済中継センタ装置が有する決済方式）において、シンクライアントの取引処理装置と決済中継センタ装置との間の回線が断となっている場合や、回線の網がダウンしている場合（以下、「オフライン状態」という）に、取引処理装置と店舗に配備されている取引通信端末（外部装置）とを使用して決済する例について説明する。また、シンクライアントの取引処理装置と決済中継センタ装置との間の回線が利用可能となっている場合、回線の網がダウンしていない通常時の状態を「オンライン状態」という。
【００２２】
図１は、第１の実施形態の取引処理システム１０のシステム構成の一例を示す図である。図１に示す取引処理システム１０では、シンボルリーダ４５（図２参照）が接続されたシンクライアントの取引処理装置１と、所定の決済先装置の一例としての決済中継センタ装置５とがネットワーク（イントラネットＮＷ１及びインターネットＮＷ２）を介して接続され、取引処理装置１と可搬型の外部装置２，２ａ，２ｂとがイントラネットＮＷ１に設けられたレイヤ３スイッチ又はルータ（Ｌ３ＳＷ／ＲＴ）９を介して接続されている。また、外部装置２，２ａ，２ｂと決済中継センタ装置５とは携帯電話回線網ＮＷ３又は公衆電話回線網ＮＷ４を介して接続され、決済中継センタ装置５と決済センタ装置６とはインターネットＮＷ５を介して接続されている。取引処理装置１とシンボルリーダ４５とは例えば有線のケーブルにより接続されている。
【００２３】
イントラネットＮＷ１は、例えば取引処理装置１が配備された店舗内の無線又は有線のローカルエリアネットワークである。インターネットＮＷ２，ＮＷ５は、無線ネットワーク又は有線ネットワークをインターフェースとして接続されたネットワークである。無線ネットワークは、例えば無線ＬＡＮ（Local Area Network）、無線ＷＡＮ（Wide Area Network）、３Ｇ、ＨＳＰＡ（High Speed Packet Access）若しくはＬＴＥ（Long Term Evolution）又はＷｉＧｉｇ（Wireless Gigabit）である。有線ネットワークは、例えばＩＥＥＥ８０２．３／イーサネット（登録商標）（ＥＴＨＥＲＮＥＴ（登録商標））である。携帯電話回線網ＮＷ３は、例えば３Ｇ、ＨＳＰＡ若しくはＬＴＥを用いて構成されたワイドエリアネットワークである。公衆電話回線網ＮＷ４は、例えば既存の電話回線を用いて構成されたネットワークである。なお、携帯電話回線網ＮＷ３や公衆電話回線網ＮＷ４は、Ｗｉｆｉ（登録商標）のスポット（Ｓｐｏｔ）であるアクセスポイントを介したインターネット接続網など、他の接続網を用いてもよい。また、インターネットＮＷ５は、イントラネット又は専用線などの他の接続網を用いてもよい。
【００２４】
取引処理装置１は、シンクライアント型の決済端末装置であり、カードＣｒＤを用いた取引の決済処理に関する各種事項の情報（後述する取引決済情報参照）がユーザ（例えば店舗の店員又は顧客）によってタッチパネルＴＰに入力され、カードＣｒＤのカード番号及び有効期限を読み取る。但し、ＥＭＶ仕様のＥＭＶレベル２のＩＣクレジットカード機能を決済中継センタ装置５が有する決済方式では、カードＣｒＤのカード番号及び有効期限の情報は、カードＣｒＤ内において暗号化されており、取引処理装置１が読み取っても復号できず、暗号化されたままであり、決済中継センタ装置５において復号可能となる。また、取引処理装置１は、オンライン状態ではイントラネットＮＷ１及びインターネットＮＷ２、又はインターネットＮＷ２を介して、決済中継センタ装置５との間で、ＥＭＶ仕様のＥＭＶレベル２のＩＣクレジットカード機能を用いたカード（ＩＣクレジットカード）ＣｒＤによる取引の決済処理に関する通信を行う。一方、取引処理装置１は、オフライン状態には外部装置２（外部装置２ａ，２ｂでも同様）及び携帯電話回線網ＮＷ３若しくは公衆電話回線網ＮＷ４を介して、決済中継センタ装置５との間で、ＥＭＶ仕様のＥＭＶレベル２のＩＣクレジットカード機能を用いたカード（ＩＣクレジットカード）ＣｒＤによる取引の決済処理に関する通信を行う。取引処理装置１の具体的な構成については、図２を参照して説明する。
【００２５】
外部装置２，２ａ，２ｂは、持ち運び可能な可搬型筐体を有し、データの有線又は無線による通信が可能な通信端末（例えばスマートフォン、タブレット端末）であって、レイヤ３スイッチ又はルータ９を介して取引処理装置１と接続されている。また、外部装置２，２ａ，２ｂは、携帯電話回線網ＮＷ３若しくは公衆電話回線網ＮＷ４を介して、決済中継センタ装置５との間で、取引処理装置１からの指示に応じた取引の決済処理に関する通信を行う。外部装置２，２ａ，２ｂの具体的な構成については、図３を参照して説明する。
【００２６】
決済中継センタ装置５は、サードパーティプロセッサ（即ち、イシュア（カードの発行会社）若しくはアクワイヤラ（特定のカード取引を取り扱う加盟店を募集し、加盟店のカード取引に基づく売上情報を統括する会社）から業務委託を受けて各加盟店からの決済処理の中継を代行する会社）における決済中継処理用のサーバ装置（決済中継センタ）である。決済中継センタ装置５は、取引処理装置１又は外部装置２，２ａ、２ｂがカードＣｒＤから読み取ったカード番号及び有効期限の暗号化された情報を復号可能である。決済中継センタ装置５は、イントラネットＮＷ１及びインターネットＮＷ２、インターネットＮＷ２、携帯電話回線網ＮＷ３又は公衆電話回線網ＮＷ４を介して、取引処理装置１又は外部装置２，２ａ，２ｂから、取引の決済処理の与信照会又は売上登録の要求を受け、与信するか否かの判断の照会を決済センタ装置６に対して問い合わせし、更に、売上登録の処理を決済センタ装置６に依頼する。
【００２７】
決済センタ装置６は、例えば加盟店と直接に加盟店契約を結んでいるイシュア若しくはアクワイヤラが運営する決済処理用のサーバ装置（決済センタ）である。決済センタ装置６は、決済中継センタ装置５からの判断の問い合わせに応じて、与信結果若しくは与信照会の判断結果又は売上登録の処理結果を、決済中継センタ装置５を介して取引処理装置１又は外部装置２，２ａ，２ｂに応答する。
【００２８】
図２は、各実施形態の取引処理装置（親機）１のハードウェア構成の一例を示す図である。図２に示す取引処理装置１は、ＣＰＵ（Central Processing Unit）２１と、磁気カードリーダ部２３と、接触式ＩＣカードリーダライタ部２５と、非接触ＩＣカードリーダライタ部２７と、ループアンテナ部２９と、ＰＩＮＰＡＤＩ／Ｆ部３１と、キー入力部３３と、タッチ入力部３５と、表示部３７と、プリンタＩ／Ｆ部３９と、プリンタ４１と、シンボルリーダＩ／Ｆ部４３と、シンボルリーダ４５と、有線ネットワークＩ／Ｆ部４７と、広域無線通信アンテナ４９Ａが接続された広域無線通信部４９と、局所無線通信アンテナ５１Ａが接続された局所無線通信部５１と、フラッシュＲＯＭ（Read Only Memory）５５と、ＲＡＭ（Random Access Memory）５７とを含む構成である。
【００２９】
ＣＰＵ２１は、取引処理装置１の各部の動作を全体的に統括するための制御処理、他の各部との間のデータの入出力処理、データの演算（計算）処理及びデータの記憶処理を行う。例えばＣＰＵ２１は、本発明に係るプログラムに規定されたコードに従う各処理を実行することで、オンライン状態では、有線ネットワークＩ／Ｆ部４７、広域無線通信部４９及び局所無線通信部５１のいずれかを用いて、決済中継センタ装置５との間で、カードＣｒＤを用いた取引の決済処理を行う。また、ＣＰＵ２１は、オフライン状態では、局所無線通信部５１を介して、外部装置２，２ａ，２ｂに対し、カードＣｒＤを用いた取引の決済処理の指示を行う。その他のＣＰＵ２１の動作の詳細については後述する。
【００３０】
磁気カードリーダ部２３は、取引処理装置１の筐体の側面側に設けられたスリット（不図示）の内部に配置され、カード（例えばＩＣクレジットカード）ＣｒＤに設けられた磁気ストライプを読み取る機能を有し、読み取った磁気ストライプからカードＣｒＤに登録された各種情報を読み出してＣＰＵ２１に出力する。
【００３１】
接触式ＩＣカードリーダライタ部２５は、取引処理装置１の筐体の側面（例えば図１に示す取引処理装置１に対する紙面左下側）に設けられた接触型ＩＣカードの挿入口（不図示）の内部に配置され、挿入口に挿入された接触式ＩＣカード（例えばカードＣｒＤ）の電極を介して、接触式ＩＣカード内のチップ（不図示）に記録されたカード情報を読み取ったり書き込んだりする。なお、接触式ＩＣカードリーダライタ部２５により読み取られたカード情報はＣＰＵ２１に入力される。
【００３２】
非接触ＩＣカードリーダライタ部２７は、例えば取引処理装置１の表示部３７に対して略平行になるように配置されたループアンテナ部２９と接続され、所定の近距離無線通信（例えばＮＦＣ（Near Field Communication））を用いて、カードＣｒＤ（例えばＩＣクレジットカード）と非接触で無線通信を行い、カードＣｒＤに記録されたカード情報を読み取ったり書き込んだりする。なお、非接触ＩＣカードリーダライタ部２７により読み取られたカード情報はＣＰＵ２１に入力される。
【００３３】
ＰＩＮＰＡＤＩ／Ｆ部３１は、例えば商品の購入者が認証情報の一例としてのＰＩＮ（Personal Identification Number、暗証番号）を入力する際に使用されるテンキー装置であるＰＩＮＰＡＤ７と接続され、購入者により入力されたＰＩＮ情報を取得してＣＰＵ２１に出力する。
【００３４】
キー入力部３３は、例えば取引処理装置１の筐体に設けられたプッシュ型のボタンであり、例えば決済処理の際に決済処理に使用されるカードに関する各種情報（例えばカードブランド）や決済処理に必要な各種情報（例えば支払方法、支払回数）の店員による入力操作に用いられる。なお、キー入力部３３は、決済処理に使用されるカードの所有者が、ＰＩＮを入力する際にも用いられてもよい。
【００３５】
タッチ入力部３５は、取引処理装置１のタッチパネルＴＰに対するタッチ入力を検出する機能を有する。
【００３６】
表示部３７は、例えばＬＣＤ（Liquid Crystal Display）又は有機ＥＬ（Electroluminescence）を用いて構成され、取引処理装置１のタッチパネルＴＰの表示を制御する機能を有する。本実施形態では、タッチ入力部３５と表示部３７とにより、取引処理装置１のタッチパネルＴＰが構成される。
【００３７】
プリンタＩ／Ｆ部３９は、例えば取引の決済処理が正常に終了したことを示すための所定の控票（例えば顧客控及び店舗控）のデータをＣＰＵ２１から取得してプリンタ４１に出力する。
【００３８】
印字部の一例としてのプリンタ４１は、取引処理装置１の筐体内に格納され、プリンタＩ／Ｆ部３９から出力された所定の控票（例えば顧客控及び店舗控）のデータを用いて、所定の控票を印字する。
【００３９】
シンボルリーダＩ／Ｆ部４３は、シンボルリーダ４５（図１参照）により読み取られた１次元バーコード又は２次元バーコードＢＤ１の暗号化されたデータを取得してＣＰＵ２１に出力する。なお、ＣＰＵ２１において１次元バーコード又は２次元バーコードのデータは復号される。
【００４０】
シンボルリーダ４５は、１次元バーコード又は２次元バーコードを読み取り、読み取り結果に関するデータ（暗号化情報）をシンボルリーダＩ／Ｆ部４３に出力する。
【００４１】
有線ネットワークＩ／Ｆ部４７は、有線ネットワークであるインターネットＮＷ２又は店舗のイントラネットＮＷ１に接続し、インターネットＮＷ２を介して決済中継センタ装置５との間で通信を行い、又はイントラネットＮＷ１及びインターネットＮＷ２を介して決済中継センタ装置５との間で通信を行う。
【００４２】
広域無線通信部４９は、広域無線通信アンテナ４９Ａと接続され、インターネットＮＷ２又は決済中継センタ装置５を運営する業者が独自に展開しているアクセスポイント（不図示）を介した電話回線による接続形態等の広域無線通信路（例えばＷＡＮ（Wide Area Network））を介して通信する機能を有する。広域無線通信路における通信は、例えばＷ−ＣＤＭＡ（Wideband Code Division Multiple Access）、ＵＭＴＳ（Universal Mobile Telecommunications System）、ＣＤＭＡ（Code Division Multiple Access）２０００、ＬＴＥ（Long Term Evolution）等の移動体通信を用いて行われてもよい。
【００４３】
局所無線通信部５１は、局所無線通信アンテナ５１Ａと接続され、イントラネットＮＷ１に配備されたレイヤ３スイッチ又はルータ９等の中継装置を介して、店舗内に配備された商品紹介用等の外部装置２，２ａ，２ｂとの間で、例えば無線ＬＡＮ通信する機能を有する。局所無線通信部５１は、無線ＬＡＮ通信以外の通信（例えばBluetooth（登録商標）通信）を行ってもよい。
【００４４】
フラッシュＲＯＭ５５は、各種のデータを記憶する機能を有する。記憶されるデータは、例えば決済中継センタ装置５との間での決済処理に使用されるアプリケーション（決済処理用アプリケーション）のプログラムコード及びデータ、各種業務に関わるアプリケーション（それぞれの業務処理用アプリケーション）のプログラムコード及びデータ、その他取引処理装置１の各部を制御するためのプログラム及びデータでもよい。
【００４５】
記憶部の一例としてのＲＡＭ５７は、例えばＣＰＵ２１の動作に伴う演算処理の際に、演算処理の途中において発生する処理データを、一時的に記憶するために用いられるメモリである。例えばＲＡＭ５７は、外部装置２，２ａ，２ｂから送信された取引決済情報（後述参照）などを一時的に保存する。
【００４６】
図３は、第１の実施形態の外部装置（子機）２のハードウェア構成の一例を示す図である。図１に示す外部装置２，２ａ，２ｂは同一の構成であるため、以下、外部装置２を例示して説明する。図３に示す外部装置２は、ＣＰＵ２２と、磁気カードリーダ部２４と、接触式ＩＣカードリーダ部２６と、非接触ＩＣカードリーダライタ部２８と、ループアンテナ部３０と、キー入力部３４と、タッチ入力部３６と、表示部３８と、広域無線通信アンテナ５０Ａが接続された広域無線通信部５０と、局所無線通信アンテナ５２Ａが接続された局所無線通信部５２と、フラッシュＲＯＭ５６と、ＲＡＭ５８と、バッテリＢＴと、電源部６２と、ＰＩＮＰＡＤ部６４とを含む構成である。
【００４７】
ＣＰＵ２２は、外部装置２の各部の動作を全体的に統括するための制御処理、他の各部との間のデータの入出力処理、データの演算（計算）処理及びデータの記憶処理を行う。例えばＣＰＵ２２は、本発明に係るプログラムに規定されたコードに従う各処理を実行することで、オフライン状態では、取引処理装置１からの指示に応じて、広域無線通信部５０に、取引処理装置１から送信された取引決済情報を含む決済要求の決済中継センタ装置５への送信を指示する。その他のＣＰＵ２２の動作の詳細については後述する。
【００４８】
磁気カードリーダ部２４は、外部装置２の筐体の側面側に設けられたスリット（不図示）の内部に配置され、カード（例えばＩＣクレジットカード）ＣｒＤに設けられた磁気ストライプを読み取る機能を有し、読み取った磁気ストライプからカードＣｒＤに登録された各種情報を読み出してＣＰＵ２２に出力する。なお、磁気カードリーダ部２４は外部装置２に設けられなくてもよい。
【００４９】
接触式ＩＣカードリーダ部２６は、外部装置２の筐体の側面（例えば図１に示す取引処理装置１に対する紙面左下側）に設けられた接触型ＩＣカードの挿入口（不図示）の内部に配置され、挿入口に挿入された接触式ＩＣカード（例えばカードＣｒＤ）の電極を介して、接触式ＩＣカード内のチップ（不図示）に記録されたカード情報を読み取ったり書き込んだりする。なお、接触式ＩＣカードリーダ部２６により読み取られたカード情報はＣＰＵ２２に入力される。また、接触式ＩＣカードリーダ部２６は外部装置２に設けられなくてもよい。
【００５０】
非接触ＩＣカードリーダライタ部２８は、例えば外部装置２の表示部３８に対して略平行になるように配置されたループアンテナ部３０と接続され、所定の近距離無線通信（例えばＮＦＣ）を用いて、カードＣｒＤ（例えばＩＣクレジットカード）と非接触で無線通信を行い、カードＣｒＤに記録されたカード情報を読み取ったり書き込んだりする。なお、非接触ＩＣカードリーダライタ部２８により読み取られたカード情報はＣＰＵ２２に入力される。なお、非接触ＩＣカードリーダライタ部２８は外部装置２に設けられなくてもよい。
【００５１】
キー入力部３４は、例えば表示部３８に表示されたソフトウェアキーボード又は外部装置２の筐体に設けられたプッシュ型のボタンであり、例えば決済処理の際に決済処理に使用されるカードに関する各種情報（例えばカードブランド）や決済処理に必要な各種情報（例えば支払方法、支払回数）の店員による入力操作に用いられる。なお、キー入力部３４は、決済処理に使用されるカードの所有者が、ＰＩＮを入力する際にも用いられてもよい。
【００５２】
タッチ入力部３６は、外部装置２のタッチパネルＴＰ２に対するタッチ入力を検出する機能を有する。
【００５３】
表示部３８は、例えばＬＣＤ又は有機ＥＬを用いて構成され、外部装置２のタッチパネルＴＰ２の表示を制御する機能を有する。本実施形態では、タッチ入力部３６と表示部３８とにより、外部装置２のタッチパネルＴＰ２が構成される。
【００５４】
広域無線通信部５０は、広域無線通信アンテナ５０Ａと接続され、携帯電話回線網ＮＷ３又は公衆電話回線網ＮＷ４を介して、広域無線通信路（例えばＷＡＮ（Wide Area Network））を用いた無線通信する機能を有する。広域無線通信路における通信は、例えばＷ−ＣＤＭＡ、ＵＭＴＳ、ＣＤＭＡ２０００、ＬＴＥ等の移動体通信を用いて行われてもよい。
【００５５】
局所無線通信部５２は、局所無線通信アンテナ５２Ａと接続され、イントラネットＮＷ１に配備されたレイヤ３スイッチ又はルータ９等の中継装置を介して、店舗内に配備された取引処理装置１との間で、例えば無線ＬＡＮ通信する機能を有する。局所無線通信部５２は、無線ＬＡＮ通信以外の通信（例えばBluetooth（登録商標）通信）を行ってもよい。
【００５６】
フラッシュＲＯＭ５６は、各種のデータを記憶する機能を有する。記憶されるデータは、例えば決済中継センタ装置５との間での決済処理に使用されるアプリケーション（決済処理用アプリケーション）のプログラムコード及びデータ、各種業務に関わるアプリケーション（それぞれの業務処理用アプリケーション）のプログラムコード及びデータ、その他外部装置２の各部を制御するためのプログラム及びデータでもよい。
【００５７】
記憶部の一例としてのＲＡＭ５８は、例えばＣＰＵ２２の動作に伴う演算処理の際に、演算処理の途中において発生する処理データを、一時的に記憶するために用いられるメモリである。例えばＲＡＭ５８は、取引処理装置１から送信された取引決済情報（後述参照）などを一時的に保存する。
【００５８】
バッテリＢＴは、充電可能な２次電池である。バッテリＢＴに蓄電された電力は、電源部６２に供給される。
【００５９】
電源部６２は、バッテリＢＴから供給された電力を用いて、外部装置２の各部に対し、各部の動作に必要な電力を供給する。
【００６０】
ＰＩＮＰＡＤ部６４は、例えば商品の購入者が認証情報の一例としてのＰＩＮ（暗証番号）を入力する際に使用されるテンキーが表示部３８に表示されたソフトウェアキーボードである。なお、ＰＩＮＰＡＤ部６４は、外部装置２に設けられなくてもよい。
【００６１】
図４は、各実施形態の取引処理装置１，１ａ及び外部装置２，２ｃのソフトウェアのブロック構成の一例を示す図である。なお、図４では、取引処理装置１，１ａのハードウェアとして図２に示す各部のうち一部のみが図示されており、全てのハードウェアが図示されていない。同様に、外部装置２，２ｃのハードウェアとして図３に示す各部のうち一部のみが図示されており、全てのハードウェアが図示されていない。
【００６２】
取引処理装置１，１ａは、取引処理装置１，１ａにインストールされたアプリケーションを実行する際、基本ソフトウェアであるＯＳ（Operating Software）９１の上で、１つ以上のソフトウェアのモジュール（つまり、アプリを構成する部品）を連携させて動作している。ソフトウェアのモジュールは、図４では例えば取引処理装置１，１ａ内での決済手順を行うアプリＢＬ１と、決済中継センタ装置５又は決済センタ装置６と通信して決済手順を行うアプリＢＬ２と、外部装置２の決済入力専用アプリと通信を行うアプリＢＬ３と、データ通信ライブラリＢＬ４とが少なくとも含まれる。
【００６３】
外部装置２，２ｃは、外部装置２，２ｃにインストールされたアプリケーションを実行する際、基本ソフトウェアであるＯＳ９２の上で、１つ以上のソフトウェアのモジュール（つまり、アプリを構成する部品）を連携させて動作している。ソフトウェアのモジュールは、図４では例えば決済情報の入力及び取引処理装置１，１ａのアプリと通信を行うアプリ（外部装置の決済入力専用アプリ）ＢＬ５と、外部装置２のその他のアプリＢＬ６と、データ通信ライブラリＢＬ７とが少なくとも含まれる。
【００６４】
本実施形態では、オフライン状態の際、取引処理装置１と決済中継センタ装置５とは直接に通信不可のため、取引処理装置１からの指示ＦＬ１により、取引の決済に必要な情報（取引決済情報）の入力や読取は例えば外部装置２において行われる（図６〜図８参照）。外部装置２は、入力や読取によって得た取引決済情報を含む決済要求を決済中継センタ装置５に送信する。取引決済情報は、取引の決済に必要な情報であり、例えば外部装置２において入力された情報（例えば、カードＣｒＤのブランド情報、取引金額、支払方法、支払回数、購入者（顧客）のＰＩＮ）と、外部装置２において読み取られたカードＣｒＤのカード番号及び有効期限の情報（但しカードＣｒＤにおいて暗号化されている）とを含む情報である。
【００６５】
図５は、オフライン状態の取引処理装置１、外部装置２，２ａ，２ｂ及び決済センタ装置６の接続経路の一例を示す図である。図５では、例えばイントラネットＮＷ１、インターネットＮＷ２、及びインターネットＮＷ２に対応する決済中継センタ装置５の入力ポートのいずれもが使用不可状態であり、取引処理装置１と決済中継センタ装置５との間が通信不可であれば、イントラネットＮＷ１、インターネットＮＷ２、及びインターネットＮＷ２に対応する決済中継センタ装置５の入力ポートのいずれかが使用不可状態であればよい。
【００６６】
図５に示すオフライン状態では、詳細は図６〜図９において説明するが、取引処理装置１と決済中継センタ装置５とは直接に通信できないので、取引処理装置１は、外部装置２，２ａ，２ｂに対し、取引処理装置１又は外部装置２，２ａ，２ｂにおける入力及び読取によって得られた取引決済情報を含む決済要求の決済中継センタ装置５への送信を指示する。外部装置２は、取引処理装置１からの指示に応じて、外部装置２が利用可能な広域無線通信路（つまり、携帯電話回線網ＮＷ３又は公衆電話回線網ＮＷ４）を用いて、取引処理装置１又は外部装置２における入力及び読取によって得られた取引決済情報を含む決済要求を、決済中継センタ装置５に送信する。
【００６７】
次に、本実施形態の取引処理システム１０の取引処理装置１及び外部装置２の動作手順の詳細について、図６〜図９を参照して説明する。図６は、第１の実施形態のオフライン状態の取引処理装置１及び外部装置２の処理フローの第１例を説明する動作説明図である。図７は、第１の実施形態のオフライン状態の取引処理装置１及び外部装置２の処理フローの第１例を説明する動作説明図である。図８は、第１の実施形態のオフライン状態の取引処理装置１及び外部装置２の処理フローの第１例を説明する動作説明図である。なお、図７や図８の説明では、図６の説明と同一の処理には同一のステップ番号を付して説明を簡略化又は省略する。
【００６８】
図６において、オフライン状態では、取引処理装置１は、外部装置２における入力及び読取により得られる取引決済情報の取得を待機する。
【００６９】
先ず、外部装置２のＣＰＵ２２は、タッチパネルＴＰ２の表示部３８に対し、決済処理用アプリケーションを起動するために店員に対してカード（例えばＩＣクレジットカード）の読み取り動作を促すためのプロンプト（カードスキャンプロンプト）を表示させる。
【００７０】
この後、店舗の店員は、顧客に確認を取りながら、タッチパネルＴＰ２に対し、決済処理の対象となる取引内容に関する情報を入力する操作を行う。ＣＰＵ２２は、タッチ入力部３６を介して、これらの入力操作を検出する。
【００７１】
プロンプトが表示された後、外部装置２を使用する店員の入力操作によって、表示部３８に表示された接触式ＩＣクレジットカード又は非接触ＩＣクレジットカードのカードブランドのうちいずれかが選択され、この選択されたカードブランドに関する情報がＣＰＵ２２に入力される（Ｓ１）。
【００７２】
次に、店員が顧客の保持するＩＣクレジットカードの読み取り操作を行うと、接触式ＩＣカードリーダ部２６又は非接触ＩＣカードリーダライタ部２８は、接触式ＩＣクレジットカード又は非接触ＩＣクレジットカードに記録された情報を読み取る（Ｓ２）。但し、上述したように、ステップＳ２において読み取られた情報（即ち、カード番号及び有効期限の情報）は、カードＣｒＤにおいて暗号化されており、ＣＰＵ２２は復号不可である。ＣＰＵ２２は、接触式ＩＣカードリーダ部２６又は非接触ＩＣカードリーダライタ部２８により読み取られた暗号化情報を受け取ると、決済処理用アプリケーションにおいて決済処理の対象となる取引内容の入力画面をタッチパネルＴＰ２の表示部３８に表示させる。
【００７３】
続いて、店員の入力操作によって、取引金額が入力され、この入力された取引金額に関する情報がＣＰＵ２１に入力される（Ｓ３）。更に、支払方法（例えば１回払い、分割払い等）が選択され、かつ、支払回数が入力され、これらの選択された支払方法及び入力された支払回数に関する情報がＣＰＵ２２に入力される（Ｓ４）。
【００７４】
本実施形態で使用されるカードＣｒＤは接触式ＩＣクレジットカード又は非接触ＩＣクレジットカードであるため、ステップＳ４の支払方法及び支払回数の情報が入力された後、顧客は、店員の指示に応じて、タッチパネルＴＰ２の表示部３８においてソフトウェアキーボードとして表示されたＰＩＮＰＡＤ部６４（例えば「０」から「９」までのテンキー）に対し、ＰＩＮ（暗証番号）を入力する（Ｓ５）。これにより、１回の取引における取引決済情報が外部装置２において得られたことになる。
【００７５】
ＣＰＵ２２は、ステップＳ３において入力された取引金額がアクワイヤラ若しくはイシュアと加盟店（店舗）との間の加盟店契約によって予め規定されているオフライン状態下での取引金額上限を超えていないか判断する（Ｓ６）。取引金額上限に関する情報（例えば１取引の上限金額十万円）は、例えばＣＰＵ２２又はフラッシュＲＯＭ５６に記憶されているが、加盟店契約の更改に応じて適宜更新されてもよい。ＣＰＵ２２は、取引金額上限を超えていないと判断した場合に、取引決済情報（即ち、ブランド情報、カード番号、有効期限、取引金額、支払方法、支払回数、ＰＩＮ）を含む決済要求を、取引処理装置１に送信する（Ｓ７）。この後、外部装置２は、取引処理装置１からの印字完了報告の受信を待機する。
【００７６】
取引処理装置１は、ステップＳ７において送信された取引決済情報を含む決済要求を受信し（Ｓ２１）、この取引決済情報を含む決済要求（言い換えると、与信照会の処理と、与信を与えても良いと判断された場合には売上登録の処理の各要求）を、外部装置２を経由して決済中継センタ装置５に送信する（Ｓ２２）。つまり、図９に示す外部装置２の送受信処理において、外部装置２は、取引処理装置１から送信された取引決済情報を含む決済要求（つまり、取引処理装置１が決済中継センタ装置５に対して送信するデータ）を受信し（Ｓ３１）、ステップＳ３１において受信したデータを決済中継センタ装置５に送信する（Ｓ３２）。決済中継センタ装置５は、外部装置２から送信されたデータを決済センタ装置６に送信し、決済センタ装置６において決済が正常に終了した場合（つまり与信照会において問題ない旨の判断がなされ、売上登録が行われた場合）には、決済中継センタ装置５は、その旨の応答を決済センタ装置６から受信して外部装置２に応答（転送）する。これにより、外部装置２は、決済が正常に終了した旨の応答を受信でき、決済が正常に終了した旨の応答を取引処理装置１に転送する（Ｓ３２）。なおこの後、外部装置２は、ステップ３１において受信したデータ（上述参照）を削除する（Ｓ３３）。
【００７７】
取引処理装置１は、決済が正常に終了した旨の応答を外部装置２から受信した場合には、決済が正常に終了したことを示す所定の控票（例えば顧客控及び店舗控）を印字（印刷）し（Ｓ２３）、控票の印字が完了したことを示す印字完了報告を生成して外部装置２に送信する（Ｓ２４）。
【００７８】
外部装置２は、取引処理装置１から送信された控票の印字完了報告を受信する（Ｓ８）。外部装置２は、控票の印字完了報告を受信した後、控票に印字された取引に関する取引決済情報（即ち、ブランド情報、カード番号、有効期限、取引金額、支払方法、支払回数、ＰＩＮ）を削除する（Ｓ９）。カードＣｒＤ（ＩＣクレジットカード）を用いた取引の決済が継続するであれば（Ｓ１０、ＮＯ）、ステップＳ１の処理に戻る。一方、カードＣｒＤ（ＩＣクレジットカード）を用いた取引の決済が継続しない場合には（Ｓ１０、ＹＥＳ）、図６に示すフローは終了する。
【００７９】
次に、図７では、取引決済情報は取引処理装置１における入力及び読取によって得られる。具体的には、先ず、取引処理装置１のＣＰＵ２１は、タッチパネルＴＰの表示部３７に対し、決済処理用アプリケーションを起動するために店員に対してカード（例えばＩＣクレジットカード）の読み取り動作を促すためのプロンプト（カードスキャンプロンプト）を表示させる。
【００８０】
この後、店舗の店員は、顧客に確認を取りながら、タッチパネルＴＰに対し、決済処理の対象となる取引内容に関する情報を入力する操作を行う。ＣＰＵ２１は、タッチ入力部３５を介して、これらの入力操作を検出する。
【００８１】
プロンプトが表示された後、取引処理装置１を使用する店員の入力操作によって、表示部３７に表示された接触式ＩＣクレジットカード又は非接触ＩＣクレジットカードのカードブランドのうちいずれかが選択され、この選択されたカードブランドに関する情報がＣＰＵ２１に入力される（Ｓ１）。
【００８２】
次に、店員が顧客の保持するＩＣクレジットカードの読み取り操作を行うと、接触式ＩＣカードリーダライタ部２５又は非接触ＩＣカードリーダライタ部２７は、接触式ＩＣクレジットカード又は非接触ＩＣクレジットカードに記録された情報を読み取る（Ｓ２）。但し、上述したように、ステップＳ２において読み取られた情報（即ち、カード番号及び有効期限の情報）は、カードＣｒＤにおいて暗号化されており、ＣＰＵ２１は復号不可である。ＣＰＵ２１は、接触式ＩＣカードリーダライタ部２５又は非接触ＩＣカードリーダライタ部２７により読み取られた暗号化情報を受け取ると、決済処理用アプリケーションにおいて決済処理の対象となる取引内容の入力画面をタッチパネルＴＰの表示部３７に表示させる。
【００８３】
続いて、店員の入力操作によって、取引金額が入力され、この入力された取引金額に関する情報がＣＰＵ２１に入力される（Ｓ３）。更に、支払方法（例えば１回払い、分割払い等）が選択され、かつ、支払回数が入力され、これらの選択された支払方法及び入力された支払回数に関する情報がＣＰＵ２２に入力される（Ｓ４）。
【００８４】
本実施形態で使用されるカードＣｒＤは接触式ＩＣクレジットカード又は非接触ＩＣクレジットカードであるため、ステップＳ４の支払方法及び支払回数の情報が入力された後、顧客は、店員の指示に応じて、タッチパネルＴＰの表示部３７においてソフトウェアキーボードとして表示されたＰＩＮＰＡＤ７（例えば「０」から「９」までのテンキー）に対し、ＰＩＮ（暗証番号）を入力する（Ｓ５）。これにより、１回の取引における取引決済情報が取引処理装置１において得られたことになる。
【００８５】
ＣＰＵ２１は、ステップＳ３において入力された取引金額がアクワイヤラ若しくはイシュアと加盟店（店舗）との間の加盟店契約によって予め規定されているオフライン状態下での取引金額上限を超えていないか判断する（Ｓ６）。取引金額上限に関する情報（例えば１取引の上限金額十万円）は、例えばＣＰＵ２１又はフラッシュＲＯＭ５５に記憶されているが、加盟店契約の更改に応じて適宜更新されてもよい。ＣＰＵ２１は、取引金額上限を超えていないと判断した場合に、取引決済情報（即ち、ブランド情報、カード番号、有効期限、取引金額、支払方法、支払回数、ＰＩＮ）を含む決済要求（言い換えると、与信照会の処理と、与信を与えても良いと判断された場合には売上登録の処理の各要求）を、外部装置２を経由して決済中継センタ装置５に送信する（Ｓ２２）。
【００８６】
ステップＳ２２の後、取引処理装置１は、所定の控票の印字を完了した後、控票に印字された取引に関する取引決済情報（即ち、ブランド情報、カード番号、有効期限、取引金額、支払方法、支払回数、ＰＩＮ）を削除する（Ｓ９ａ）。カードＣｒＤ（ＩＣクレジットカード）を用いた取引の決済が継続するであれば（Ｓ１０、ＮＯ）、ステップＳ１の処理に戻る。一方、カードＣｒＤ（ＩＣクレジットカード）を用いた取引の決済が継続しない場合には（Ｓ１０、ＹＥＳ）、図７に示すフローは終了する。
【００８７】
次に、図８では、取引決済情報は取引処理装置１における入力及び読取と外部装置２における入力とにより得られる。言い換えると、図６に示すステップＳ１において入力されるカードＣｒＤのブランド情報と、ステップＳ３において入力される取引金額と、ステップＳ４において入力される支払方法及び支払回数に関する情報が外部装置２のＣＰＵ２２に入力される。
【００８８】
先ず、取引処理装置１は、店員が顧客の保持するＩＣクレジットカードの読み取り操作を行うと、接触式ＩＣカードリーダライタ部２５又は非接触ＩＣカードリーダライタ部２７において、接触式ＩＣクレジットカード又は非接触ＩＣクレジットカードに記録された情報を読み取る（Ｓ２）。但し、上述したように、ステップＳ２において読み取られた情報（即ち、カード番号及び有効期限の情報）は、カードＣｒＤにおいて暗号化されており、ＣＰＵ２１は復号不可である。ＣＰＵ２１は、接触式ＩＣカードリーダライタ部２５又は非接触ＩＣカードリーダライタ部２７により読み取られた暗号化情報を受け取ると、決済処理用アプリケーションにおいて購入者（顧客）のＰＩＮを入力させるための画面をタッチパネルＴＰの表示部３７に表示させる。顧客は、店員の指示に応じて、ＰＩＮＰＡＤ７（例えば「０」から「９」までのテンキー装置）に対し、ＰＩＮ（暗証番号）を入力する（Ｓ５）。
【００８９】
また、外部装置２では、ＣＰＵ２２は、ステップＳ３において入力された取引金額がアクワイヤラ若しくはイシュアと加盟店（店舗）との間の加盟店契約によって予め規定されているオフライン状態下での取引金額上限を超えていないか判断する（Ｓ６）。ＣＰＵ２２は、取引金額上限を超えていないと判断した場合に、入力された各種情報（即ち、ブランド情報、取引金額、支払方法、支払回数）を、取引処理装置１に送信する（Ｓ７ｂ）。この後、外部装置２は、取引処理装置１からの印字完了報告の受信を待機する。
【００９０】
取引処理装置１は、ステップＳ７ｂにおいて送信された各種情報（即ち、取引金額、支払方法、支払回数に関する情報）を受信する（Ｓ２１）。これにより、ステップＳ２，Ｓ５において取得された情報と合わせて、１回の取引における取引決済情報が外部装置２において得られたことになる。
【００９１】
ステップＳ２２〜ステップＳ２４までの処理は図６と同様であるため、説明を省略する。外部装置２は、取引処理装置１から送信された控票の印字完了報告を受信する（Ｓ８）。外部装置２は、控票の印字完了報告を受信した後、控票に印字された取引に関する取引決済情報のうち一部の情報（即ち、ブランド情報、取引金額、支払方法、支払回数）を削除する（Ｓ９ｂ）。カードＣｒＤ（ＩＣクレジットカード）を用いた取引の決済が継続するであれば（Ｓ１０、ＮＯ）、ステップＳ１の処理に戻る。一方、カードＣｒＤ（ＩＣクレジットカード）を用いた取引の決済が継続しない場合には（Ｓ１０、ＹＥＳ）、図６に示すフローは終了する。
【００９２】
図１０（Ａ）〜図１０（Ｈ）は、外部装置２に表示される各種画面の一例を示す図である。なお、説明を簡単にするために、図１０（Ａ）〜図１０（Ｈ）に示す各画面は外部装置２において表示されるとして説明するが、図７に示す例のように取引処理装置１において表示されてもよいし、又は図８に示す例のように外部装置２又は取引処理装置１において表示されてもよい。この場合には、図７又は図８に示す対応する処理において、該当する画面が表示される。
【００９３】
図１０（Ａ）は、カードＣｒＤのブランド情報の選択画面ＷＤ１であり、図６のステップＳ１において表示部３８に表示される。図１０（Ｂ）は、カードＣｒＤのカード番号及び有効期限の表示画面ＷＤ２であり、図６のステップＳ２において表示部３８に表示される。しかし、本実施形態では、カード番号及び有効期限は外部装置２や取引処理装置１では復号できず、決済中継センタ装置５において復号可能となるので、図１０（Ｂ）に示す画面では暗号化されたカード番号及び有効期限が表示されるか、又はアスタリスク（＊）が表示されて第三者には見えないように表示される。
【００９４】
図１０（Ｃ）は、カードＣｒＤを用いた取引の取引金額の入力画面ＷＤ３であり、図６のステップＳ３において表示部３８に表示される。図１０（Ｄ）は、支払方法及び支払回数の入力画面ＷＤ４であり、図６のステップＳ４において表示部３８に表示される。図１０（Ｅ）は、ＰＩＮの入力画面ＷＤ５であり、図６のステップＳ５において表示部３８に表示される。
【００９５】
図１０（Ｆ）は、取引処理装置１において取引決済情報（一部抜粋）が表示された画面ＷＤ６であり、図６のステップＳ２２において表示部３７に表示される。図１０（Ｇ）は、外部装置２が取引決済情報を含む決済要求を決済中継センタ装置５に送信している際に取引処理装置１及び外部装置２の各表示部３７，３８に表示される画面ＷＤ７である。図１０（Ｈ）は、取引決済情報を含む決済要求が決済中継センタ装置５に送信された旨の送信報告の表示画面ＷＤ８である。
【００９６】
以上により、本実施形態の取引処理システム１０では、取引処理装置１は、取引処理装置１と決済中継センタ装置５との間の通信が不可状態の場合（オフライン状態）に、外部装置２により入力されたＩＣクレジットカードのブランド情報、取引金額、支払方法、支払回数、顧客の認証情報と、ＩＣクレジットカードから読み出されたカード番号、有効期限とを含む取引決済情報を外部装置２に送信する。外部装置２は、取引処理装置１から送信された取引決済情報を含む決済要求を決済中継センタ装置５に送信した場合に、取引決済情報を含む決済要求の送信完了報告を取引処理装置１に送信する。取引処理装置１は、送信完了報告を受信した場合に、所定の控票（例えばＩＣクレジットカードを用いた取引の決済に関する顧客控及び店舗控）を印字する。
【００９７】
これにより、取引処理システム１０は、決済処理に使用されるＩＣクレジットカードの認証に必要な情報がＩＣクレジットカードと決済中継センタ装置５との間で送受信される決済方式において、決済中継センタ装置５との回線が利用不可な時や故障発生時を含むオフライン状態でも、取引処理装置１と決済中継センタ装置５との間の通信に外部装置２を用いることで、ＩＣクレジットカードを用いた決済を円滑に行える。また、取引処理システム１０は、決済中継センタ装置５との回線が利用不可な時や故障発生時を含むオフライン状態でも、ＩＣクレジットカードの磁気ストライプに記録された情報を用いた磁気クレジットカード機能による決済を使用しなくてもよく、ＩＣクレジットカード機能による決済を使用できるので、顧客の認証情報に対するセキュリティの劣化を抑制できる。
【００９８】
また、取引処理システム１０では、ＩＣクレジットカードのブランド情報、取引金額、支払方法、支払回数、顧客の認証情報は、外部装置２により入力され、ＩＣクレジットカードのカード番号、有効期限は、外部装置２によりＩＣクレジットカードから読み出され、取引処理装置１は、所定の控票の印字完了報告を外部装置２に送信する。外部装置２は、印字完了報告を受信した後、ＩＣクレジットカードのブランド情報、カード番号、有効期限、取引金額、支払方法、支払回数、及び顧客の認証情報を削除する。
【００９９】
これにより、取引処理システム１０は、取引処理装置１と決済中継センタ装置５との回線が利用不可な時や故障発生時を含むオフライン状態でも、外部装置２を取引処理装置１の代替的な決済手段（つまり、取引決済情報の入力ツール及び決済中継センタ装置５との広域無線通信ツール）として一時的に使用できる。更に、取引処理システム１０は、ＩＣクレジットカードを用いた取引の決済が正常に終了したことを示す所定の控票の印字完了報告により、外部装置２に残った取引決済情報を削除できるので、例えば決済以外の汎用のアプリケーション（例えばメールアプリケーション、Ｗｅｂサイトの閲覧アプリケーション）の使用時でも決済の対象となった顧客の個人情報に対するセキュリティを的確に担保できる。
【０１００】
また、取引処理システム１０では、ＩＣクレジットカードのブランド情報、取引金額、支払方法、支払回数、顧客の認証情報は、取引処理装置１により入力され、ＩＣクレジットカードのカード番号、有効期限は、取引処理装置１によりＩＣクレジットカードから読み出され、取引処理装置１は、所定の控票を印字した後、ＩＣクレジットカードのブランド情報、カード番号、有効期限、取引金額、支払方法、支払回数、及び顧客の認証情報を削除する。
【０１０１】
これにより、取引処理システム１０は、取引処理装置１と決済中継センタ装置５との回線が利用不可な時や故障発生時を含むオフライン状態でも、外部装置２を取引処理装置１の代替的な決済手段（つまり、決済中継センタ装置５との広域無線通信ツール）として一時的に使用できる。更に、取引処理システム１０は、ＩＣクレジットカードを用いた取引の決済が正常に終了したことを示す所定の控票の印字完了報告により、取引処理装置１に残った取引決済情報を削除できるので、決済の対象となった顧客の個人情報に対するセキュリティを的確に担保できる。
【０１０２】
また、取引処理システム１０では、ＩＣクレジットカードのブランド情報、取引金額、支払方法、支払回数は、外部装置２により入力され、顧客の認証情報は、取引処理装置１により入力され、ＩＣクレジットカードのカード番号、有効期限は、取引処理装置１によりＩＣクレジットカードから読み出され、取引処理装置１は、所定の控票の印字完了報告を外部装置２に送信する。外部装置２は、印字完了報告を受信した後、ＩＣクレジットカードのブランド情報、取引金額、支払方法、支払回数を削除する。
【０１０３】
これにより、取引処理システム１０は、取引処理装置１と決済中継センタ装置５との回線が利用不可な時や故障発生時を含むオフライン状態でも、外部装置２を取引処理装置１の代替的な決済手段（つまり、一部の取引決済情報の入力ツール及び決済中継センタ装置５との広域無線通信ツール）として一時的に使用できる。更に、取引処理システム１０は、ＩＣクレジットカードを用いた取引の決済が正常に終了したことを示す所定の控票の印字完了報告により、外部装置２に残った取引決済情報を削除できるので、例えば決済以外の汎用のアプリケーション（例えばメールアプリケーション、Ｗｅｂサイトの閲覧アプリケーション）の使用時でも決済の対象となった顧客の個人情報に対するセキュリティを的確に担保できる。
【０１０４】
また、本実施形態の取引処理装置１は、取引処理装置１と決済中継センタ装置５との間の通信が不可状態の場合（オフライン状態）でも、ＩＣクレジットカードのブランド情報、カード番号、有効期限、取引金額、支払方法、支払回数、顧客の認証情報を含む取引決済情報を外部装置２に送信し、外部装置２が取引決済情報を含む決済要求を決済中継センタ装置５に送信した場合に、外部装置２からの取引決済情報を含む決済要求の送信完了報告に応じて、所定の控票（例えばＩＣクレジットカードを用いた取引の決済に関する顧客控及び店舗控）を印字する。
【０１０５】
これにより、取引処理装置１は、ＩＣクレジットカードの認証に必要な情報がＩＣクレジットカードと決済中継センタ装置５との間で送受信される決済方式において、決済中継センタ装置５との回線が利用不可な時や故障発生時を含むオフライン状態でも、取引処理装置１と決済中継センタ装置５との間の通信に外部装置２を用いることで、シンクライアント型の簡易な装置構成で、ＩＣクレジットカードを用いた決済を円滑に行える。
【０１０６】
また、本実施形態の外部装置２は、取引処理装置１と決済中継センタ装置５との間の通信が不可状態の場合（オフライン状態）でも、ＩＣクレジットカードのブランド情報、取引金額、支払方法、支払回数、顧客の認証情報と、ＩＣクレジットカードのカード番号、有効期限とを含む取引決済情報を取引処理装置１に送信する。外部装置２は、取引処理装置１からの指示に応じて、外部装置２と決済中継センタ装置５との間の広域無線通信を用いて、取引決済情報を含む決済要求を決済中継センタ装置５に送信し、取引決済情報を含む決済要求の送信完了報告を取引処理装置１に送信する。
【０１０７】
これにより、外部装置２は、決済以外の汎用のアプリケーション（例えばメールアプリケーション、Ｗｅｂサイトの閲覧アプリケーション）を使用できるだけでなく、ＩＣクレジットカードを用いた取引の決済に関する取引処理装置１の代替的な決済手段（つまり、取引決済情報の入力ツール及び決済中継センタ装置５との広域無線通信ツール）として一時的に使用できる。
【０１０８】
（第２の実施形態）
図１１は、第２の実施形態の取引処理システム１０Ａのシステム構成の一例を示す図である。図１１の説明では、第１の実施形態における図１に示す取引処理システム１０と同一の説明を簡略化又は省略し、異なる内容について説明する。図１１に示す取引処理システム１０Ａでは、シンボルリーダ４５（図２参照）が接続されたシンクライアントの取引処理装置１ａと、所定の決済先装置の一例としての決済センタ装置６とがネットワーク（イントラネットＮＷ１及びインターネットＮＷ２）を介して接続され、取引処理装置１ａと可搬型の外部装置２ｃ，２ｃａ，２ｃｂとがイントラネットＮＷ１に設けられたレイヤ３スイッチ又はルータ（Ｌ３ＳＷ／ＲＴ）９を介して接続されている。また、外部装置２ｃ，２ｃａ，２ｃｂと決済センタ装置６とは携帯電話回線網ＮＷ３又は公衆電話回線網ＮＷ４を介して接続されている。取引処理装置１とシンボルリーダ４５とは例えば有線のケーブルにより接続されている。
【０１０９】
取引処理装置１ａは、シンクライアント型の決済端末装置であり、カードＣｒＤを用いた取引の決済処理に関する各種事項の情報（後述する取引決済情報参照）がユーザ（例えば店舗の店員又は顧客）によってタッチパネルＴＰに入力され、カードＣｒＤのカード番号及び有効期限を読み取る。本実施形態では、読み取られたカード番号及び有効期限はカードＣｒＤにおいて暗号化されていてもよいし、暗号化されていなくてもよい。
【０１１０】
外部装置２ｃ，２ｃａ，２ｃｂは、持ち運び可能な可搬型筐体を有し、データの有線又は無線による通信が可能な通信端末（例えばスマートフォン、タブレット端末）であって、レイヤ３スイッチ又はルータ９を介して取引処理装置１ａと接続されている。また、外部装置２ｃ，２ｃａ，２ｃｂは、携帯電話回線網ＮＷ３若しくは公衆電話回線網ＮＷ４を介して、決済センタ装置６との間で、取引処理装置１ａからの指示に応じた取引の決済処理に関する通信を行ってもよい。外部装置２，２ａ，２ｂの具体的な構成については、図３を参照して説明する。
【０１１１】
図１２は、第２の実施形態の外部装置（子機）２ｃ，２ｃａ，２ｃｂのハードウェア構成の一例を示す図である。図１２に示す外部装置２ｃ，２ｃａ，２ｃｂは同一の構成であるため、以下、外部装置２ｃを例示して説明する。図１２に示す外部装置２ｃは、図３に示す外部装置２からＰＩＮＰＡＤ部６４が除かれた構成であり、その他の構成は外部装置２と同一であるため、詳細な説明を省略する。また、第１の実施形態における外部装置２と異なる点として、本実施形態の外部装置２ｃは、決済センタ装置６と通信可能である。
【０１１２】
図１３は、オフライン状態の取引処理装置１ａ、外部装置２ｃ，２ｃａ，２ｃｂ及び決済センタ装置６の接続経路の一例を示す図である。図１３の説明では、図５の説明と重複する内容の説明を簡略化又は省略し、異なる内容について説明する。図１３では、例えばイントラネットＮＷ１、インターネットＮＷ２、及びインターネットＮＷ２に対応する決済センタ装置６の入力ポートのいずれもが使用不可状態であり、取引処理装置１ａと決済センタ装置６との間が通信不可であれば、イントラネットＮＷ１、インターネットＮＷ２、及びインターネットＮＷ２に対応する決済センタ装置６の入力ポートのいずれかが使用不可状態であればよい。
【０１１３】
図１３に示すオフライン状態では、詳細は図１５及び図１６において説明するが、取引処理装置１ａと決済センタ装置６とは直接に通信できず、取引処理装置１ａは、外部装置２ｃ，２ｃａ，２ｃｂにおいて入力された取引決済情報（第１の実施形態の取引決済情報と同様）を取引処理装置１ａ内に蓄積し（タンキング）し、取引処理装置１ａとカードＣｒＤとの間で取引決済情報を用いた条件付き決済（つまり、オフライン決済）を行った後、所定の控票（つまり、顧客控及び店舗控）を印字する。
【０１１４】
なお、取引処理装置１ａは、図１３に示すオフライン状態では、外部装置２ｃ．２ｃａ．２ｃｂに対し、外部装置２ｃ，２ｃａ，２ｃｂにおける入力によって得られた取引決済情報を含む決済要求の決済センタ装置６への送信を指示してもよい。この場合、外部装置２ｃ，２ｃａ，２ｃｂは、取引処理装置１ａからの指示に応じて、外部装置２ｃ，２ｃａ，２ｃｂが利用可能な広域無線通信路（つまり、携帯電話回線網ＮＷ３又は公衆電話回線網ＮＷ４）を用いて、外部装置２ｃ，２ｃａ，２ｃｂにおける入力によって得られた取引決済情報を含む決済要求を、決済センタ装置６に送信する。
【０１１５】
次に、本実施形態の取引処理システム１０Ａの取引処理装置１ａ及び外部装置２ｃの動作手順の詳細について、図１４〜図１６を参照して説明する。図１４は、第２の実施形態の通常オンライン状態の取引処理装置１ａ及び外部装置２ｃの処理フローの一例を説明する動作説明図である。図１５は、第２の実施形態のオフライン状態の取引処理装置１ａ及び外部装置２ｃの処理フローの一例を説明する動作説明図である。図１６は、通常オンライン状態に復旧した場合における第２の実施形態の取引処理装置１ａの処理フローの一例を示す動作説明図である。図１４の説明では第１の実施形態に対応する図６の説明と重複する内容の説明を簡略化又は省略し、図１５の説明では図１４の説明を重複する内容の説明を簡略化又は省略し、それぞれ異なる内容について説明する。
【０１１６】
図１４において、通常オンライン状態では、取引処理装置１ａは、外部装置２ｃにおける入力により得られる取引決済情報の取得を待機する。
【０１１７】
外部装置２ｃでは、ステップＳ１の後、店員が顧客の保持するＩＣクレジットカードの読み取り操作を行うと、接触式ＩＣカードリーダ部２６又は非接触ＩＣカードリーダライタ部２８は、接触式ＩＣクレジットカード又は非接触ＩＣクレジットカードに記録された情報を読み取ってＣＰＵ２２に入力する（Ｓ２ａ）。ステップＳ２では、第１の実施形態と同様に読み取られた情報（即ち、カード番号及び有効期限の情報）は、カードＣｒＤにおいて暗号化されているが、ＣＰＵ２２は復号不可でもよいし復号可能でもよい。なお図１４では、接触式ＩＣクレジットカードや非接触ＩＣクレジットカードが使用されず磁気クレジットカードが使用された場合には、ステップＳ５のＰＩＮ入力は省略される。
【０１１８】
ＣＰＵ２２は、ステップＳ６において取引金額上限を超えていないと判断した場合に、取引決済情報（即ち、ブランド情報、カード番号、有効期限、取引金額、支払方法、支払回数）を含む決済要求を、取引処理装置１ａに送信する（Ｓ７）。ステップＳ５においてＰＩＮが入力された場合には、取引決済情報にＰＩＮが含まれるので、ＰＩＮも取引処理装置１ａに送信される。この後、外部装置２ｃは、取引処理装置１ａからの印字完了報告の受信を待機する。
【０１１９】
取引処理装置１ａは、図１５に示す取引処理装置１ａのタンキング処理では、ステップＳ２１において取引決済情報を含む決済要求を受信し（Ｓ２１）、この取引決済情報を含む決済要求（言い換えると、与信照会の処理と、与信を与えても良いと判断された場合には売上登録の処理の各要求）を決済センタ装置６に送信する（Ｓ２２ａ）。これにより、与信照会において問題がないと判断された場合には売上登録の処理が実行され、決済センタ装置６は、売上登録を実行した旨の応答を取引処理装置１ａに送信する。
【０１２０】
取引処理装置１ａは、売上登録を実行した旨の応答を決済センタ装置６から受信した場合には、売上登録を実行したことを示す所定の控票（例えば顧客控及び店舗控）を印字（印刷）し（Ｓ２３）、控票の印字が完了したことを示す印字完了報告を生成して外部装置２に送信する（Ｓ２４）。なお、磁気クレジットカードが使用された場合には、取引処理装置１ａは、ステップＳ２４において顧客の署名（サイン）を記入してもらうための署名票も印字する。
【０１２１】
取引処理装置１ａから控票の印字完了報告が送信された後の外部装置２ｃの動作は、図６と同様であるため、説明を省略する。
【０１２２】
次に、図１５において、オフライン状態でも、取引処理装置１ａは、外部装置２ｃにおける入力により得られる取引決済情報の取得を待機する。
【０１２３】
外部装置２ｃにおいて取引決済情報の各情報が入力される処理（ステップＳ１〜ステップＳ５）、ステップＳ６における取引金額上限を超えていないかの判断、更に、ステップＳ７における取引決済情報を含む決済要求の送信までの各処理は図１４と同一であるため、説明を省略する。
【０１２４】
取引処理装置１ａは、ステップＳ２１において取引決済情報を含む決済要求を受信するが（Ｓ２１）、オフライン状態であるため、外部装置２ｃから送信された決済要求に含まれる取引決済情報をタンキングし（Ｓ３１）、取引処理装置１ａとカードＣｒＤとの間で取引決済情報を用いた条件付き決済（つまり、オフライン決済）を行う（Ｓ３１）。ステップＳ３１以降の取引処理装置１ａ及び外部装置２ｃの処理は図１４のステップＳ２３以降の処理と同様であるため、説明を省略する。
【０１２５】
図１６に示す取引処理装置１ａの回線復旧処理において、オフライン状態から通常オンライン状態に復旧した場合には（Ｓ４１、ＹＥＳ）、取引処理装置１ａは、ステップＳ３１においてタンキングした取引決済情報（即ち、ブランド情報、カード番号、有効期限、取引金額、支払方法、支払回数（更に必要に応じてＰＩＮ））を含む決済要求を、売上登録のために決済センタ装置６に送信する（Ｓ４２）。
【０１２６】
取引処理装置１ａは、決済センタ装置６において売上登録が行われた場合には、売上登録を実行した旨の応答を決済センタ装置６から受信する（Ｓ４３）。取引処理装置１ａは、売上登録を実行した旨の応答を受信すると、売上登録を完了した取引決済情報を削除する（Ｓ４４）。
【０１２７】
図１７（Ａ），（Ｂ）は、通常オンライン状態に復旧した場合における取引処理装置１ａに表示される各種画面の一例を示す図である。図１７（Ａ）は、オフライン状態から通常オンライン状態に復旧した後に、取引処理装置１ａがオフライン状態においてタンキングされた取引決済情報を含む決済要求を決済センタ装置６に送信している間に表示部３７に表示される画面ＷＤ１１である。図１７（Ｂ）は、タンキングされた取引決済情報を含む決済要求が決済センタ装置６に送信された時に表示部３７に表示される画面ＷＤ１２である。
【０１２８】
以上により、本実施形態の取引処理システム１０Ａでは、外部装置２ｃは、入力されたカード（例えばＩＣクレジットカード）のブランド情報、カード番号、有効期限、取引金額、支払方法、支払回数を含む取引決済情報を取引処理装置１ａに送信し、取引処理装置１ａは、外部装置２ｃから送信された取引決済情報を受信し、受信された取引決済情報を含む決済要求を決済センタ装置６に送信する。取引処理装置１ａは、取引決済情報を含む決済要求を決済センタ装置６に送信した場合に、所定の控票を印字する。
【０１２９】
これにより、取引処理システム１０Ａは、店舗に配備されている取引処理装置１ａの数では来店客（顧客）のカード決済の処理に十分に対応しきれない場合でも、取引処理装置１と決済中継センタ装置５との間の通信に外部装置２を用いることで、ＩＣクレジットカードを用いた決済を円滑に行え、顧客のカード決済の待ち時間の長期化を回避できる。従って、取引処理システム１０Ａは、顧客への販売機会の減少を効果的に抑制でき、店舗の売上減少、アクワイヤラの手数料率に基づく収入減少をともに軽減できる。
【０１３０】
また、取引処理システム１０Ａでは、取引処理装置１ａは、所定の控票の印字完了報告を外部装置２ｃに送信し、外部装置２ｃは、印字完了報告を受信した後、カードのブランド情報、カード番号、有効期限、取引金額、支払方法、支払回数を削除する。
【０１３１】
これにより、取引処理システム１０Ａは、カードを用いた取引の決済が正常に終了したことを示す所定の控票の印字完了報告により、外部装置２に残った取引決済情報を削除できるので、例えば決済以外の汎用のアプリケーション（例えばメールアプリケーション、Ｗｅｂサイトの閲覧アプリケーション）の使用時でも決済の対象となった顧客の個人情報に対するセキュリティを的確に担保できる。
【０１３２】
また、取引処理システム１０Ａでは、取引処理装置１ａは、取引処理装置１ａと決済センタ装置６との間の通信が不可状態の場合には、取引決済情報を取引処理装置１ａ内に蓄積し、取引処理装置１ａとカードとの間で取引決済情報を用いた条件付き決済（つまり、オフライン決済）を行った後、所定の控票を印字する。
【０１３３】
これにより、取引処理システム１０Ａは、取引処理装置１ａと決済センタ装置６との回線が利用不可な時や故障発生時を含むオフライン状態でも、取引処理装置１ａとカードとの間でオフライン決済を行うことで決済処理を行える。
【０１３４】
また、取引処理システム１０Ａでは、取引処理装置１ａは、取引処理装置１ａと決済センタ装置６との間の通信がオンライン状態に復旧した場合には、蓄積した取引決済情報を用いた条件付き決済（つまり、オフライン決済）の売上登録を、決済センタ装置６に要求する。
【０１３５】
これにより、取引処理システム１０Ａは、取引処理装置１ａと決済センタ装置６との間の通信がオンライン状態に復旧した場合には、オフライン状態に行ったオフライン決済の売上登録の処理を決済センタ装置６に対して行える。
【０１３６】
また、本実施形態の取引処理装置１ａは、可搬型の外部装置２ｃにより入力されたカードのブランド情報、カード番号、有効期限、取引金額、支払方法、支払回数を含む取引決済情報を取得し、取得された取引決済情報を含む決済要求を、カードを用いた取引の決済接続先である決済センタ装置６に送信する。取引処理装置１ａは、取引決済情報を含む決済要求が決済センタ装置６に送信された場合に、所定の控票を印字する。
【０１３７】
これにより、取引処理装置１ａは、店舗に配備されている取引処理装置１ａの数では来店客（顧客）のカード決済の処理に十分に対応しきれない場合でも、取引処理装置１ａと決済センタ装置６との間の通信に外部装置２が使用されることで、ＩＣクレジットカードを用いた決済を円滑に行え、決済が正常に終了したことを示す所定の控票を印字でき、顧客のカード決済の待ち時間の長期化を回避できる。
【０１３８】
また、本実施形態の外部装置２ｃは、カードのブランド情報、カード番号、有効期限、取引金額、支払方法、支払回数を含む取引決済情報を取引処理装置１ａに送信し、取引処理装置１ａから取引決済情報を含む決済要求が決済センタ装置６に送信された場合に、取引処理装置１ａにより印字された所定の控票の印字完了報告を受信する。
【０１３９】
これにより、外部装置２ｃは、決済以外の汎用のアプリケーション（例えばメールアプリケーション、Ｗｅｂサイトの閲覧アプリケーション）を使用できるだけでなく、カード（例えばＩＣクレジットカード）を用いた取引の決済に関する取引処理装置１ａの代替的な決済手段（つまり、取引決済情報の入力ツール及び決済センタ装置６との広域無線通信ツール）として一時的に使用できる。
【０１４０】
以上、図面を参照して各種の実施形態について説明したが、本開示はかかる例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０１４１】
また、上述した本実施形態では、購入者のカード取引の一例としてクレジットカード（より具体的には磁気クレジットカード、接触式ＩＣクレジットカード、非接触ＩＣクレジットカード）を用いた決済処理について説明したが、クレジットカードを用いた決済処理に限定されず、例えばデビットカード、電子マネー、プリペイドカード、ポストペイカード、ポイントカード、電子クーポン、電子商品券を用いた決済処理に適用されてもよい。
【産業上の利用可能性】
【０１４２】
本発明は、決済処理に使用されるカードの認証に必要な情報がカードと決済先装置との間で送受信される決済方式において、決済先装置との回線が利用不可な時や故障発生時を含むオフライン状態でも、認証情報に対するセキュリティの劣化を抑制し、カードを用いた決済を円滑に行う取引処理システム、取引処理方法、取引処理装置、取引通信端末及びプログラムとして有用である。
【０１４３】
また、本発明は、店舗に配備されている取引処理装置１ａの数では来店客（顧客）のカード決済の処理に十分に対応しきれない場合でも、取引処理装置１と決済中継センタ装置５との間の通信に外部装置２を用いることで、ＩＣクレジットカードを用いた決済を円滑に行え、顧客のカード決済の待ち時間の長期化を回避できる取引処理システム、取引処理方法、取引処理装置、取引通信端末及びプログラムとして有用である。
【符号の説明】
【０１４４】
１  取引処理装置（親機）
２、２ａ、２ｂ、２ｃ、２ｃａ、２ｃｂ  外部装置（子機）
５  決済中継センタ装置
６  決済センタ装置
７  ＰＩＮＰＡＤ
９  レイヤ３スイッチ又はルータ（Ｌ３ＳＷ／ＲＴ）
２１、２２  ＣＰＵ
２３、２４  磁気カードリーダ部
２５  接触式ＩＣカードリーダライタ部
２６  接触式ＩＣカードリーダ部
２７、２８  非接触ＩＣカードリーダライタ部
２９、３０  ループアンテナ部
３１  ＰＩＮＰＡＤＩ／Ｆ部
３３、３４  キー入力部
３５、３６  タッチ入力部
３７、３８  表示部
３９  プリンタＩ／Ｆ部
４１  プリンタ
４３  シンボルリーダＩ／Ｆ部
４５  シンボルリーダ
４７  有線ネットワークＩ／Ｆ部
４９、５０  広域無線通信部
４９Ａ、５０Ａ  広域無線通信アンテナ
５１、５２  局所無線通信部
５１Ａ、５２Ａ  局所無線通信アンテナ
５３  ＰＯＳＩ／Ｆ部
５５、５６  フラッシュＲＯＭ
５７、５８  ＲＡＭ
６２  電源部
６４  ＰＩＮＰＡＤ部
ＢＤＲ  シンボルリーダ
ＢＴ  バッテリ
ＮＷ１  イントラネット
ＮＷ２、ＮＷ５  インターネット
ＮＷ３  携帯電話回線網
ＮＷ４  公衆電話回線網
ＴＰ、ＴＰ２  タッチパネル
【要約】
【課題】決済処理に使用されるカードの認証に必要な情報がカードと決済先装置との間で送受信される決済方式において、オフライン状態でも認証情報に対するセキュリティの劣化を抑制し、カードを用いた決済を円滑に行う。
【解決手段】取引処理システムでは、取引処理装置は、取引処理装置と決済先装置との間の通信が不可状態の場合に、入力されたＩＣカードのブランド情報、取引金額、支払方法、支払回数、顧客の認証情報と、ＩＣカードから読み出されたカード番号、有効期限とを含む取引決済情報を取引通信端末に送信する。取引通信端末は、取引処理装置から送信された取引決済情報を含む決済要求を決済先装置に送信した場合に、取引決済情報を含む決済要求の送信完了報告を取引処理装置に送信する。取引処理装置は、送信完了報告を受信した場合に、所定の控票を印字する。
【選択図】図５【図１】
0005866615.tif 000002
【図２】
0005866615.tif 000003
【図３】
0005866615.tif 000004
【図４】
0005866615.tif 000005
【図５】
0005866615.tif 000006
【図６】
0005866615.tif 000007
【図７】
0005866615.tif 000008
【図８】
0005866615.tif 000009
【図９】
0005866615.tif 000010
【図１０】
0005866615.tif 000011
【図１１】
0005866615.tif 000012
【図１２】
0005866615.tif 000013
【図１３】
0005866615.tif 000014
【図１４】
0005866615.tif 000015
【図１５】
0005866615.tif 000016
【図１６】
0005866615.tif 000017
【図１７】
0005866615.tif 000018